(57)【要約】【課題】簡単な構成で、周囲環境等に対応して共振回路を所望の共振周波数に調整できるようにする。【解決手段】無線タグ１０１側から受信した信号を復調するリーダ／ライタ部１０２であって、無線タグ１０１からの副搬送波によって振幅変調のかかった搬送波を結合させるコンデンサ部１０２２と、複数の導電ループLo1，Lo2，Lo3からなる多重ループLoがパターン形成されてなり、コンデンサ部１０２２に並列に接続して、コンデンサ部１０２２とで並列共振回路を形成させるコイル部１０２１とを備え、コイル部１０２１は、複数の導電ループLo1，Lo2，Lo3を交差して当該各導電ループLo1，Lo2，Lo3に接続する調整用パターンP1が形成されて、当該各導電ループLo1，Lo2，Lo3における当該調整用パターンP1との接続部分が切断可能とされたインダクタンス調整部１０２５を有する。【選択図】図５
2014123289.tif 000002
【特許請求の範囲】
【請求項１】
送信回路側から受信した信号を復調する信号復調回路であって、
前記送信回路からの副搬送波によって振幅変調のかかった搬送波を結合させるコンデンサ部と、
複数の導電ループからなる多重ループがパターン形成されてなり、前記コンデンサ部に並列に接続して、前記コンデンサ部とで並列共振回路を形成させるコイル部とを備え、
前記コイル部は、前記複数の導電ループを交差して当該各導電ループに接続する調整用パターンが形成されて、当該各導電ループにおける当該調整用パターンとの接続部分が切断可能とされたインダクタンス調整部を有する信号復調回路。
【請求項２】
送信回路側から受信した信号を復調する信号復調回路であって、
前記送信回路からの副搬送波によって振幅変調のかかった搬送波を結合させるコンデンサ部と、
前記コンデンサ部に並列に接続して、前記コンデンサ部とで並列共振回路を形成させるコイル部とを備え、
前記コンデンサ部は、配線パターンにより互いに並列に接続された複数のコンデンサを備え、各コンデンサ同士を接続する配線パターン部分が切断可能とされたキャパシタンス調整部を有する信号復調回路。
【請求項３】
前記コイル部は、複数の導電ループからなる多重ループがパターン形成されてなり、当該コイル部は、前記複数の導電ループを交差して当該各導電ループに接続する調整用パターンが形成されて、当該各導電ループにおける当該調整用パターンとの接続部分が切断可能とされたインダクタンス調整部を有する請求項２に記載の信号復調回路。
【請求項４】
信号復調回路に対して信号を送信する送信回路であって、
副搬送波によって振幅変調のかかった搬送波を結合させるコンデンサ部と、
複数の導電ループからなる多重ループがパターン形成されてなり、前記コンデンサ部に対して並列に接続して、前記コンデンサ部とで並列共振回路を形成させるコイルとを備え、
前記コイル部は、前記複数の導電ループを交差して当該各導電ループに接続する調整用パターンが形成されて、当該各導電ループにおける当該調整用パターンとの接続部分が切断可能とされたインダクタンス調整部を有する送信回路。
【請求項５】
信号復調回路に対して信号を送信する送信回路であって、
副搬送波によって振幅変調のかかった搬送波を結合させるコンデンサ部と、
前記コンデンサ部に対して並列に接続して、前記コンデンサ部とで並列共振回路を形成させるコイルとを備え、
前記コンデンサ部は、配線パターンにより互いに並列に接続された複数のコンデンサを備え、各コンデンサ同士を接続する配線パターン部分が切断可能とされたキャパシタンス調整部を有する送信回路。
【請求項６】
前記コイルは、複数の導電ループからなる多重ループがパターン形成されてなり、当該コイル部は、前記複数の導電ループを交差して当該各導電ループに接続する調整用パターンが形成されて、当該各導電ループにおける当該調整用パターンとの接続部分が切断可能とされたインダクタンス調整部を有する請求項５に記載の送信回路。
【発明の詳細な説明】
【技術分野】
【０００１】
本発明は、信号復調回路及び送信回路に関し、特に、交信に用いる共振周波数を調整する技術に関する。
【背景技術】
【０００２】
例えば、画像形成装置では、現像装置にトナーカートリッジが着脱自在に装着されるが、画像形成装置本体側のリーダ／ライタ装置が、予め定められた共振周波数で、トナーカートリッジに設けられた無線タグとの間で交信し、当該トナーカートリッジに収納されたトナーの種類や量等のカートリッジ情報を当該無線タグから取得する通信システムが採用されている。また、下記特許文献１に示されるように、無線タグが貼られた生鮮食料品に対して正しい温度管理がされなかった場合に、温度ヒューズが反応して当該無線タグの共振回路のインダクタンスやキャパシタンスを変化させる構成とし、意図的に共振周波数を正常から異常に変化させて、当該温度管理の不適を検出する通信システムも提案されている。
【先行技術文献】
【特許文献】
【０００３】
【特許文献１】特開２００５−１５７４８５号公報
【発明の概要】
【発明が解決しようとする課題】
【０００４】
上記画像形成装置の場合、リーダ／ライタ装置又は無線タグ内の共振回路が周囲環境等により影響されて、リーダ／ライタ装置及び無線タグの共振周波数がずれると、交信に不都合を生じる可能性がある。このため、簡単な構成で、周囲環境等に対応させて共振回路を所望の共振周波数に調整できる機構を設けることが望まれている。また、上記特許文献１に示される通信システムは、温度変化に応じた温度ヒューズの反応によりインダクタンスやキャパシタンスを変化させて共振周波数を正常から異常に変化させるものであるため、共振回路を所望の共振周波数に合わせ込むことはできない。
【０００５】
本発明は、上記の問題を解決するためになされたもので、簡単な構成で、周囲環境等に対応して共振回路を所望の共振周波数に調整可能にすることを目的とする。
【課題を解決するための手段】
【０００６】
本発明の請求項１に記載の発明は、送信回路側から受信した信号を復調する信号復調回路であって、
前記送信回路からの副搬送波によって振幅変調のかかった搬送波を結合させるコンデンサ部と、
複数の導電ループからなる多重ループがパターン形成されてなり、前記コンデンサ部に並列に接続して、前記コンデンサ部とで並列共振回路を形成させるコイル部とを備え、
前記コイル部は、前記複数の導電ループを交差して当該各導電ループに接続する調整用パターンが形成されて、当該各導電ループにおける当該調整用パターンとの接続部分が切断可能とされたインダクタンス調整部を有するものである。
【０００７】
また、請求項４に記載の発明は、信号復調回路に対して信号を送信する送信回路であって、
副搬送波によって振幅変調のかかった搬送波を結合させるコンデンサ部と、
複数の導電ループからなる多重ループがパターン形成されてなり、前記コンデンサ部に対して並列に接続して、前記コンデンサ部とで並列共振回路を形成させるコイルとを備え、
前記コイル部は、前記複数の導電ループを交差して当該各導電ループに接続する調整用パターンが形成されて、当該各導電ループにおける当該調整用パターンとの接続部分が切断可能とされたインダクタンス調整部を有するものである。
【０００８】
これらの発明によれば、コイル部が有するインダクタンス調整部において、必要に応じて各導電ループを調整用パターンとの接続部分で切断することにより、コイル部を構成する複数の導電ループのうち、必要な巻き数に相当する数のループのみをコンデンサ部に接続させることが可能になる。このため、当該切断作業により、周囲環境等に対応してコイル部の巻き数を変更してインダクタンスを変化させることが可能なので、コンデンサ部及びコイル部が接続されてなる並列共振回路を所望の共振周波数に簡単に調整できる。
【０００９】
また、請求項２に記載の発明は、送信回路側から受信した信号を復調する信号復調回路であって、
前記送信回路からの副搬送波によって振幅変調のかかった搬送波を結合させるコンデンサ部と、
前記コンデンサ部に並列に接続して、前記コンデンサ部とで並列共振回路を形成させるコイル部とを備え、
前記コンデンサ部は、配線パターンにより互いに並列に接続された複数のコンデンサを備え、各コンデンサ同士を接続する配線パターン部分が切断可能とされたキャパシタンス調整部を有するものである。
【００１０】
また、請求項５に記載の発明は、信号復調回路に対して信号を送信する送信回路であって、
副搬送波によって振幅変調のかかった搬送波を結合させるコンデンサ部と、
前記コンデンサ部に対して並列に接続して、前記コンデンサ部とで並列共振回路を形成させるコイルとを備え、
前記コンデンサ部は、配線パターンにより互いに並列に接続された複数のコンデンサを備え、各コンデンサ同士を接続する配線パターン部分が切断可能とされたキャパシタンス調整部を有するものである。
【００１１】
これらの発明によれば、コンデンサ部が有するキャパシタンス調整部において、各コンデンサ同士を接続する配線パターン部分を切断することにより、コンデンサ部を構成する複数のコンデンサのうち、必要なキャパシタンスに相当する数のコンデンサのみをコイル部に接続させることが可能になる。このため、当該切断作業により、周囲環境等に対応してコンデンサ部のコンデンサ数を変更してキャパシタンスを変化させることが可能なので、コンデンサ部及びコイル部が接続されてなる並列共振回路を所望の共振周波数に簡単に調整できる。
【００１２】
また、請求項３に記載の発明は、請求項２に記載の信号復調回路であって、前記コイル部は、複数の導電ループからなる多重ループがパターン形成されてなり、当該コイル部は、前記複数の導電ループを交差して当該各導電ループに接続する調整用パターンが形成されて、当該各導電ループにおける当該調整用パターンとの接続部分が切断可能とされたインダクタンス調整部を有するものである。
【００１３】
また、請求項６に記載の発明は、請求項５に記載の送信回路であって、前記コイルは、複数の導電ループからなる多重ループがパターン形成されてなり、当該コイル部は、前記複数の導電ループを交差して当該各導電ループに接続する調整用パターンが形成されて、当該各導電ループにおける当該調整用パターンとの接続部分が切断可能とされたインダクタンス調整部を有するものである。
【００１４】
これらの発明によれば、コイル部のインダクタンス調整部において、複数の導電ループのうち、必要な巻き数に相当する数のループのみをコンデンサ部に接続可能であると共に、コンデンサ部のキャパシタンス調整部において、複数のコンデンサのうち、必要なキャパシタンスに相当する数のコンデンサのみをコイル部に接続可能であるため、更に幅広い範囲で周囲環境等に対応して、コンデンサ部及びコイル部が接続されてなる並列共振回路を所望の共振周波数に調整できる。
【発明の効果】
【００１５】
本発明によれば、周囲環境等に対応して、コンデンサ部及びコイル部が接続されてなる並列共振回路を所望の共振周波数に簡単に調整することができる。
【図面の簡単な説明】
【００１６】
【図１】本発明に係る信号復調回路及び送信回路を備えた画像形成装置の一例であるプリンタの内部構成を概略的に示す断面図である。
【図２】現像部の詳細な構成を示す断面図である。
【図３】図２における現像部の符号Ａで示す範囲の部分拡大図である。
【図４】通信システムの概略構成を示す説明図である。
【図５】リーダ／ライタ部におけるコイル部及びコンデンサ部の部分を示す図である。
【図６】コイル部の多重ループをなす導電ループ数を最大とした状態を示す図である。
【図７】コイル部の多重ループをなす導電ループ数を最大巻き数から1巻き減じた状態を示す図である。
【図８】コイル部の多重ループをなす導電ループ数を最大巻き数から2巻き減じた状態を示す図である。
【図９】コンデンサ部のコンデンサ数を最大とした状態を示す図である。
【発明を実施するための形態】
【００１７】
以下、本発明の一実施形態に係る信号復調回路及び送信回路について図面を参照して説明する。図１は、本発明に係る信号復調回路及び送信回路を備えた画像形成装置の一例であるプリンタ１の内部構成を概略的に示す断面図である。
【００１８】
プリンタ１は、給紙部８、画像形成部２、転写部９、定着部１１、用紙排出トレイ１２等より構成される。
【００１９】
画像形成部２は、感光体ドラム３、帯電部４、露光部５、現像部６、クリーニング部７等を備える。
【００２０】
感光体ドラム３は、トナー像が形成される像担持体である。帯電部４は、感光体ドラム３上に均一に帯電をさせる。露光部５は、均一に帯電がされた感光体ドラム３の周面に露光をして、静電潜像を形成させる。現像部６は、形成された静電潜像を顕画化させて、トナー像を作る。このようにして作られたトナー像が後で詳しく説明する転写部９により、記録紙に転写される。クリーニング部７は、転写が完了した後に、感光体ドラム３の表面に残留しているトナーを清掃する。
【００２１】
転写部９は、転写ローラ９１を備え、転写ローラ９１を感光体ドラム３に押し付けた状態で、感光体ドラム３上に形成されたトナー像を、搬送路８３から搬送されてくる記録紙へと転写させる。
【００２２】
給紙部８は、給紙カセット８１、ピックアップローラ８２、搬送路８３、搬送ローラ８４等を備え、給紙カセット８１に積載された記録紙を、画像形成部２および転写部９の側（下流側）へと給紙する。
【００２３】
定着部１１は、画像形成部２と転写部９との下流側に設けられ、ヒートローラ１１ａ及び圧ローラ１１ｂを有している。定着部１１は、記録紙に転写されたトナー像の定着処理を行う。
【００２４】
定着部１１のさらに下流側には、搬送ローラ８６と、排出ローラ８７と、搬送路８５等が設けられ、定着部１１で定着処理がされた記録紙は、これらのローラによって搬送路８５をさらに下流側へと搬送されて、プリンタ１上部の用紙排出トレイ１２へと排出される。
【００２５】
図２は、現像部６の詳細な構成を示す断面図である。現像部６は、トナー（現像剤）を収納する容器（コンテナ）からなるトナーカートリッジ６１、及び現像ローラ６２１等を備えた現像ユニット６２から構成されており、汲み上げローラ６２２や供給ローラ６２３の回転駆動によりトナーカートリッジ６１のトナーを攪拌部へ供給し、攪拌ローラ６１１（攪拌スクリュウ）の回転駆動によってトナーを現像ローラ６２１へ供給する。現像ローラ６２１の外周部には現像スリーブ６２１１が設けられており、この現像スリーブ６２１１には現像バイアスが印加されており、攪拌部でプラスに帯電されたトナーを、感光体ドラム３（図１）表面の露光部分（露光により静電気が除去されてなる静電潜像の部分）に吸着させる。
【００２６】
現像部６は、トナーカートリッジ６１が現像ユニット６２に対して着脱自在に装着できるように構成されている。
【００２７】
図３は、図２における現像部６の符号Ａで示す範囲の部分拡大図である。装着されたトナーカートリッジ６１の下部の構成を詳細に示してある。
【００２８】
トナーカートリッジ６１の一側壁部には無線タグ１０１が取り付けられている。現像ユニット６２の一側壁部にはリーダ／ライタ部１０２が取り付けられている。通信システム１００は、これら無線タグ１０１及びリーダ／ライタ部１０２を備え、ＲＦ−ＩＤ方式の通信を行う。トナーカートリッジ６１が装着されると、これら無線タグ１０１とリーダ／ライタ部１０２とは所定の距離（例えば約５ｍｍ）を隔てて対向する。
【００２９】
無線タグ（送信回路）１０１は、リーダ／ライタ部１０２との無線通信（交信）を行う。無線タグ１０１は電磁波を使ってデータを送受信することが可能な半導体チップ（無線ＩＣチップ）を備え、リーダ／ライタ部１０２からの電磁波によって起電力を発生し（電磁誘導の原理に基づく）、この電力によって回路を駆動させてリーダ／ライタ部１０２と制御データ（識別コード）等を交換する。
【００３０】
リーダ／ライタ部（信号復調回路）１０２は、所定の通信出力で、所定の周波数（例えば、共振周波数13.56MHz）の電磁波を出力して無線タグ１０１と無線通信を行う。
【００３１】
後に詳述するように、無線タグ１０１及びリーダ／ライタ部１０２は、かかる通信周波数を変化させることができる。
【００３２】
図４は、通信システム１００の概略構成を示す説明図である。
【００３３】
無線タグ１０１は、メモリ１０１１、コンデンサ部１０１２、コイル部１０１３を有する。
【００３４】
メモリ１０１１は、トナーカートリッジ固有の情報、例えばトナーカートリッジのシリアル番号、型番号、トナーカートリッジの使用回数、コンテナ内のトナーの特性（種類）、残りトナー量等の情報が記憶されるメモリである。リーダ／ライタ部１０２は、トナーカートリッジに記憶されたこれらの情報を、交信によって無線タグ１０１から読み取る。
【００３５】
コイル部１０１３は、コイルを備え、ループアンテナとして構成されたアンテナである。リーダ／ライタ部１０２との無線通信が、このコイル部１０１３を介して行われる。
【００３６】
当該コイル部１０１３に並列に接続されたコンデンサ部１０１２は、コンデンサを備え、コイル部１０１３部と共に、並列共振回路１０１ｆを構成する。並列共振回路１０１ｆは、コイル部１０１３部からの入出力信号を、並列共振回路１０１ｆの共振周波数の信号とするフィルタとして働く。
【００３７】
リーダ／ライタ部１０２は、コイル部１０２１と、コンデンサ部１０２２と、フィルタ回路１０２３とを備える。
【００３８】
コイル部１０２１は、後述する構成でなるコイルを備え、ループアンテナとして構成されたアンテナである。無線タグ１０１との無線通信が、このコイル部１０２１を介して行われる。
【００３９】
コイル部１０２１は、基板上に形成されたパターンにより互いに並列に接続されたチップコンデンサＣ、コンデンサＣ１，Ｃ２，Ｃ３を有している。コンデンサ部１０２２は、当該コイル部１０２１に並列に接続されて並列共振回路１０２ｆを構成する。すなわち、コイル部１０２１のインダクタンスと、チップコンデンサCとコンデンサC1、C2、C3の合成キャパシタンスにより並列共振回路１０２ｆが形成されている。並列共振回路１０２ｆは、コイル部１０２１からの入出力信号を、並列共振回路１０１ｆの共振周波数の信号とするフィルタとして働く。
【００４０】
フィルタ回路１０２３は、並列共振回路１０２ｆにより上記共振周波数の信号とされた通信波を検波し、当該検波後の通信波から、予め定められた周波数成分を更に抽出する。さらに、フィルタ回路１０２３は、当該抽出処理後の通信波をデジタルコードに変換する。このデジタルコードは、図略のコントロール回路に送られ、コントロール回路は、無線タグ１０１が送信対象としている情報（リーダ／ライタ部１０２にとっての受信データ）を抽出する。
【００４１】
また、フィルタ回路１０２３は、コントロール回路により変換されたデジタルコードに基づき変調波を生成する。この生成された変調波は、並列共振回路１０２ｆにより上記共振周波数の通信波とされ、そのコイル部１０２１から電磁波により無線タグ１０１に対して輻射される。
【００４２】
次に、リーダ／ライタ部１０２のコイル部１０２１及びコンデンサ部１０２２の構成を説明する。図５は、リーダ／ライタ部１０２におけるコイル部１０２１及びコンデンサ部１０２２の部分を示す図である。
【００４３】
コイル部１０２１は、複数の導電ループLo1，Lo2，Lo3を備える。コイル部１０２１は、初期状態では、複数の導電ループLo1，Lo2，Lo3が１つに繋げられてなる多重ループLoとされている。多重ループLoは、複数の導電ループが接続されて１つのループとして、基板上にパターン形成されている。この多重ループLoからなるコイル部１０２１は、図５に示すように、コンデンサ部１０２２に対して並列に接続されている。
【００４４】
また、上記複数の導電ループLo1，Lo2，Lo3には、当該複数の導電ループLo1，Lo2，Lo3を交差して、当該各導電ループLo1，Lo2，Lo3のそれぞれに接続する調整用パターンP1が形成されている。各導電ループLo1，Lo2，Lo3は、調整用パターンP1と接続する部分が切断可能とされている。調整用パターンP1と、この切断可能に形成されている各導電ループ部分（各導電ループにおける調整用パターンP1との接続部分）とにより、インダクタンス調整部１０２５が構成されている。
【００４５】
コンデンサ部１０２２は、上述したように、互いに並列に接続されたチップコンデンサCとコンデンサC1，C2，C3を備える。コンデンサC1，C2，C3の各コンデンサ同士を接続する基板上のプリント配線P2は、切断可能とされている。プリント配線P2は、チップコンデンサCとコンデンサC1とを接続するプリント配線P21と、コンデンサC1とコンデンサC2とを接続するプリント配線P22と、コンデンサC2とコンデンサC3とを接続するプリント配線P23を備え、プリント配線P21，P22， P23はそれぞれが切断可能とされている。当該切断可能とされたプリント配線P2は、キャパシタンス調整部１０２６をなす。
【００４６】
なお、図５に実線で示す配線部分は基板表面に形成され、破線で示す配線は基板裏面に形成される。これら基板表裏面に形成された配線は、図５の接続ポイントPtにおいて表裏面の互いの配線が接続されている。
【００４７】
次に、コイル部１０２１のインダクタンス調整部１０２５でのインダクタンス調整を説明する。図６は、コイル部１０２１の多重ループLoをなす導電ループ数を最大とした状態を示す図である。図７は、コイル部１０２１の多重ループLoをなす導電ループ数を最大巻き数から1巻き減じた状態を示す図である。図８は、コイル部１０２１の多重ループLoをなす導電ループ数を最大巻き数から2巻き減じた状態を示す図である。
【００４８】
図５に示したように、初期状態では、導電ループLo1，Lo2，Lo3同士の端部が互いに短絡されて１つのループをなす状態となっている。
【００４９】
導電ループ数を最大としてリーダ／ライタ部１０２を用いる場合、調整用パターンP1を、図５に示すP12,P13部分において切断する。すなわち、調整用パターンP1によって導電ループLo1，Lo2，Lo3が互いに接続される状態を解除し、図６に示すように、導電ループLo1，Lo2，Lo3でなる１つのループの両端が、コンデンサ部１０２２の配線に接続されて、これら導電ループLo1，Lo2，Lo3でなるコイル部１０２１がコンデンサ部１０２２に対して並列に接続される状態とする。
【００５０】
また、導電ループ数を最大の巻き数から１巻きを減じた状態でリーダ／ライタ部１０２を用いる場合、調整用パターンP1を、図５に示すP13部分において切断する。さらに、調整用パターンP1に接続している導電ループLo1部分を切断する。すなわち、図７に示すように、導電ループLo1を除いた導電ループLo2，Lo3が１つのループをなし、当該導電ループLo2，Lo3でなる１つのループの両端が、コンデンサ部１０２２の配線に接続されて、これら導電ループLo2，Lo3でなるコイル部１０２１がコンデンサ部１０２２に対して並列に接続される状態とする。調整用パターンP1との接続部分が切断された導電ループLo1は、その両端が開放されたループとなる。
【００５１】
また、導電ループ数を最大の巻き数から２巻きを減じた状態でリーダ／ライタ部１０２を用いる場合、調整用パターンP1に接続している導電ループLo1部分を切断し、さらに、調整用パターンP1に接続している導電ループLo2部分を切断する。調整用パターンP1は初期の状態としておく。すなわち、図８に示すように、導電ループLo1，Lo2を除いた導電ループLo3が１つのループをなし、当該導電ループLo3でなる１つのループの両端が、コンデンサ部１０２２の配線に接続されて、これら導電ループLo3でなるコイル部１０２１がコンデンサ部１０２２に対して並列に接続される状態とする。調整用パターンP1との接続部分が切断された導電ループLo1，Lo2は、その両端が開放されたループとなる。
【００５２】
すなわち、上記各状態においては、コイル部１０２１の巻き数を減じる場合、調整用パターンP1及び導電ループLo1，Lo2の要所を切断することで、導電ループLo1，Lo2と調整用パターンP1とを接続又は解除する調整を行う。これにより、導電ループLo1，Lo2を、短絡巻線を形成せず電磁結合の磁束が貫くループを形成しないようにし、共振周波数に影響を及ぼさない開放状態とする。このように、コイル部１０２１の巻数を変えてインダクタンスを変化させることにより、チップコンデンサC+コンデンサC1+コンデンサC2+コンデンサC3のキャパシタンスと共振する共振周波数を可変させることができるので、周囲環境等に対応して共振回路を所望の共振周波数に簡単に調整できる。
【００５３】
次に、コンデンサ部１０２２のキャパシタンス調整部１０２６によるキャパシタンス調整を説明する。図９は、コンデンサ部１０２２のコンデンサ数を最大とした状態を示す図である。この図９では、説明の容易化のため、インダクタンス調整部１０２５の図示を省略する。
【００５４】
コンデンサ部１０２２のコンデンサ数を最大としてリーダ／ライタ部１０２を用いる場合、図９に示すように、各コンデンサ同士を接続する基板上のプリント配線P21，P22，P23を切断せず、チップコンデンサＣと、コンデンサC1と、コンデンサC2と、コンデンサC3とが互いに並列に接続された状態とする。
【００５５】
また、コンデンサ数を最大数から１つ減じた状態でリーダ／ライタ部１０２を用いる場合、図９に示すプリント配線P23を切断してコンデンサC3が他のコンデンサから切り離された状態とし、チップコンデンサＣと、コンデンサC1と、コンデンサC2とが互いに並列に接続された状態とする。
【００５６】
また、コンデンサ数を最大数から２つ減じた状態でリーダ／ライタ部１０２を用いる場合、図９に示すプリント配線P22を切断してコンデンサC2及びC3が他のコンデンサから切り離された状態とし、チップコンデンサＣと、コンデンサC1とが互いに並列に接続された状態とする。
【００５７】
また、コンデンサ部１０２２のコンデンサをチップコンデンサＣのみとしてリーダ／ライタ部１０２を用いる場合、図９に示すプリント配線P21を切断してコンデンサC1,C2及びC3が他のコンデンサから切り離された状態とし、チップコンデンサＣがコンデンサ部１０２２を構成し、当該チップコンデンサＣのみがコイル部１０２１に並列に接続された状態とする。
【００５８】
すなわち、図５を用いて説明した当該パターン例では、コンデンサ部１０２２について４種類のキャパシタンスを切替可能としている。
【００５９】
なお、特に図示による説明はしていないが、上記に示した通り、インダクタンス調整部１０２５の調整用パターンP1及び導電ループLo1，Lo2，Lo3（調整用パターンP1との接続部分）と、キャパシタンス調整部１０２６のプリント配線P2との両方の切断具合を調整することで、コイル部１０２１のインダクタンスと、コンデンサ部１０２２のキャパシタンスの両方を合わせて調整することが可能である。これにより、更に幅広い範囲で周囲環境等に対応して、コンデンサ部及びコイル部が接続されてなる並列共振回路を所望の共振周波数に調整できる。
【００６０】
このように、コイル部１０２１の巻数を変えてインダクタンスを変化させ、コンデンサ部１０２２のコンデンサC,C1,C2,C3の合成キャパシタンスを調整して共振させる場合、コイル部１０２１の巻数を減らし、コンデンサ部１０２２の合成キャパシタンスを増やせば、共振のピークを表す値であるQ値を下げて、通過周波数の広帯域化を実現できる。
【００６１】
すなわち、本実施形態では、コイル部１０２１のインダクタンスと、コンデンサ部１０２２のキャパシタンスの両方を調整可能であるため、共振周波数とＱ値を所望の値に設定することができる。
【００６２】
例えば、プリンタ１のトナーカートリッジ６１内のトナーが、通信システム１００のアンテナと近い場合、電磁結合のトランスにトナーがコアの役目をするかのようにアンテナに影響する。この場合でも、本実施形態に係る通信システム１００によれば、上述したコイル部１０２１のインダクタンス調整と、コンデンサ部１０２２のキャパシタンス調整により、プリンタの機種毎に、トナーカートリッジ６１内のトナーと通信システム１００のアンテナとの距離等に応じて、共振周波数とＱ値を所望の値に調整可能であるため、通信システム１００が設けられた基板の共通化を図ることができ、通信システム１００のコストダウンが可能になる。
【００６３】
なお、上記コイル部１０２１のインダクタンス及びコンデンサ部１０２２のキャパシタンスの調整は、コイル部１０２１として図５に示した初期状態の多重ループLo（導電ループLo1，Lo2，Lo3が１つに繋げられてなる１つのループ）と、図９に示した初期状態のコンデンサ部１０２２（チップコンデンサCとコンデンサC1，C2，C3が互いに並列に接続された状態）とからなるリーダ／ライタ部１０２について、コイル部１０２１のインダクタンス調整部１０２５でインダクタンスの祖調整を行い、調整工程で共振周波数を測定後、コンデンサ部１０２２のキャパシタンス調整部１０２６によりキャパシタンスの微調整を行う。当該キャパシタンス調整部１０２６における、接続されるコンデンサC1，C2，C3を減じる調整は、共振周波数を高くする方向であるため、上記祖調整は、所望の共振周波数より低く設定しておくとよい。
【００６４】
さらに、無線タグ１０１も、上記図５乃至図９を用いて説明したものと同様の構成からなるコイル部１０１３及びコンデンサ部１０１２でなる並列共振回路を有している。従って、上記図５乃至図９を用いた説明と同様にして、無線タグ１０１においても、共振周波数の調整が可能である。
【００６５】
なお、本発明は上記実施の形態の構成に限られず種々の変形が可能である。例えは、上記実施形態では、通信システム１００の無線タグ１０１及びリーダ／ライタ部１０２の両方が、上述したインダクタンス及びキャパシタンスの調整が可能な構成を有するとしているが、通信システム１００の無線タグ１０１又はリーダ／ライタ部１０２のいずれか一方のみに、上記インダクタンス及びキャパシタンスの調整機構を設けることとしてもよい。
【００６６】
さらには、無線タグ１０１と、リーダ／ライタ部１０２は、上記インダクタンス調整機構及びキャパシタンスの調整機構の両方を有していなくてもよく、いずれか一方の調整機構のみを備えるものであってもよい。
【００６７】
また、上記実施形態示したコイル部１０２１の巻き数、コンデンサ部１０２２のコンデンサ数はあくまでも一例であり、コイル部１０２１の巻き数、コンデンサ部１０２２のコンデンサ数を上記に限定する趣旨ではない。
【００６８】
また、上記実施形態では、通信システム１００がプリンタ１を例とする画像形成装置に適用される場合を示したが、当該通信システム１００は、画像形成装置以外の電気機器にも広く適用可能である。
【符号の説明】
【００６９】
１          プリンタ
６１        トナーカートリッジ
６２        現像ユニット
１００      通信システム
１０１      無線タグ
１０１１    メモリ
１０１２    コンデンサ部
１０１３    コイル部
１０１ｆ    並列共振回路
１０２      ライタ部
１０２１    コイル部
１０２２    コンデンサ部
１０２３    フィルタ回路
１０２５    インダクタンス調整部
１０２６    キャパシタンス調整部
１０２ｆ    並列共振回路
C          チップコンデンサ
C1，C2，C3  コンデンサ
Lo        多重ループ
Lo1，Lo2，Lo3  導電ループ
P1          調整用パターン
P2          プリント配線
P21，P22，P23  プリント配線
Pt          接続ポイント
【図１】
2014123289.tif 000003
【図３】
2014123289.tif 000004
【図４】
2014123289.tif 000005
【図５】
2014123289.tif 000006
【図６】
2014123289.tif 000007
【図７】
2014123289.tif 000008
【図８】
2014123289.tif 000009
【図９】
2014123289.tif 000010
【図２】
2014123289.tif 000011